(57)【要約】【課題】表示板の高さ調整を可能にする立て看板を提供する。【解決手段】一対の立設した支柱と転倒防止用の傾斜支柱を設けて、枠に表示板を取り付けの立て看板であって、前記支柱を上支柱１と下支柱１ａで構成してスライド式の長さ調整機構１０で連結し、前記傾斜支柱を傾斜上支柱２０と傾斜下支柱２０ａで構成してスライド式の長さ調整機構２５で連結してなる。【選択図】図１
0003177902.tif 000002
【実用新案登録請求の範囲】
【請求項１】
一対の立設した支柱間に表示板を取り付けの枠を形成し、転倒防止用の傾斜支柱を設けてなる立て看板であって、
前記支柱を上支柱と下支柱で構成して長さ調整機構で連結し、
前記傾斜支柱を傾斜上支柱と傾斜下支柱で構成して長さ調整機構で連結してなることを特徴とする立て看板。
【請求項２】
請求項１の立て看板であって、長さ調整機構としてスライド式であることを特徴とする立て看板。
【請求項３】
請求項１の立て看板であって、長さ調整機構としてネジ式であることを特徴とする立て看板。
【請求項４】
請求項１の縦看板であって、長さ調整機構としてスライド式とネジ式の組み合わせであることを特徴とする立て看板。
【考案の詳細な説明】
【技術分野】
【０００１】
本願考案は、水道、ガス、道路工事等の工事現場に使用される立て看板に関する。
【背景技術】
【０００２】
従来の立て看板は、例えば、図３に示すように、両端に支柱１００が、ベースプレート１０５に形成のボルト孔１０５ａにアンカーボルトを打ち込んで立設してある。また、前記両支柱１００の間には、上フレーム１０１、中フレーム１０２及び下フレーム１０３が横設して枠を形成して、その枠に表示板（図示略）が付け可能になっている。尚、前記各フレーム１０１，１０２，１０３には、表示板を固定する孔明きリブ１０４が取り付けてある。
また、前記立て看板は、ベースプレート１０５にアンカーボルト孔１０５ａにアンカーボルトを打ち込んで立設するが、転倒防止のために、ベースプレート１０８に形成のアンカーボルト孔１０８ａにアンカーボルトを打ち込んで固定の傾斜支柱１０６が、前記中フレーム１０２から地面に向けて傾斜状に付設してある。
この形状の立て看板は、例えば、特許文献１に開示してある。
【先行技術文献】
【特許文献】
【０００３】
【特許文献１】特開２０１２−９３５６６
【考案の概要】
【考案が解決しようとする課題】
【０００４】
図３に示す立て看板は、表示位置が固定されているので、高い位置、或いは低い位置での表示が望まれる場合には、使用できない。
そこで、本考案は、容易に、表示位置の高さ変更を可能にする立て看板を提供するものである。
【課題を解決するための手段】
【０００５】
請求項１の一対の立設した支柱間に表示板を取り付けの枠を形成し、転倒防止用の傾斜支柱を設けてなる立て看板は、前記支柱を上支柱と下支柱で構成して長さ調整機構で連結し、前記傾斜支柱を傾斜上支柱と傾斜下支柱で構成して長さ調整機構で連結してなる。これらの長さ調整機構によって、表示板を取り付けの枠の高さ調整ができる。
また、請求項２の立て看板は、長さ調整機構としてスライド式を採用する。また、請求項３の立て看板は、長さ調整機構としてネジ式を採用する。
また、請求項４の立て看板は、長さ調整機構としてスライド式とネジ式の組み合わせを採用する。
【考案の効果】
【０００６】
本考案の立て看板は、容易に、表示位置（枠）の高さ変更が可能である。
【図面の簡単な説明】
【０００７】
【図１】表示板を取り付ける枠の高さを調整する長さ調整機構を備える立て看板の図である。
【図２】表示板を取り付ける枠の高さを調整する他の長さ調整機構を備える立て看板の図である。
【図３】従来の立て看板の図である。
【考案を実施するための形態】
【０００８】
本願考案の一実施の形態を図を参照して説明する。図１は立て看板を裏面から見た図である。
立て看板は、一対の立設した上支柱１の間に、上部に上フレーム２．ほぼ中央に中フレーム３及び下部に下フレーム４が横設して、枠が形成してあり、この枠に表示板を取り付けるものであり、図３に示す従来と同じである。
【０００９】
また、前記両端部の支柱は断面円形のパイプであり、上支柱１と下支柱１ａで構成してあり、前記上支柱１は下支柱１ａに外挿可能になっている。また、下支柱１ａにはベースプレート８が付設してあり、孔８ａにアンカーボルトを打ち込んで固定する。
また、上支柱１にはネジ孔が形成してあり、蝶ネジ１０で前記上支柱１を下支柱１ａに固定する。即ち、表示板を取り付けるフレームの高さ調整は、上支柱１を下支柱１ａに対してスライドして調整するスライド機構で行い、具体的には、所定位置（上支柱１と下支柱１ａの所定長さ）にセットした後に、蝶ネジ１０で固定する。
【００１０】
また、前記中フレーム３の端部には、転倒防止用の傾斜上支柱２０と傾斜下支柱２０ａで構成の傾斜支柱が取り付けてある。断面円形のパイプで形成の傾斜上支柱２０の端部は、中フレーム３に回動可能に取り付けてある一方、この傾斜上支柱２０の他端部は、パイプで形成の傾斜下支柱２０ａに外挿可能になっていて、スライド機構で長さ調整を行う。
また、傾斜下支柱２０ａにはベースプレート２８が付設してあり、孔２８ａにアンカーボルトを打ち込んで固定する。
そして、前記した表示板を取り付けのフレーム位置を変更するに当たって、前記上支柱１と下支柱１ａの長さに合わせて、傾斜上支柱２０と傾斜下支柱２０ａの長さを調整した後に、傾斜上支柱２０に形成のネジ孔を介して蝶ネジ２５で前記傾斜上支柱２０を傾斜下支柱２０ａに固定する。
【００１１】
前記立て看板のフレームに付設の表示板の高さを所定位置にするには、上支柱１と下支柱１ａ及び傾斜上支柱２０と傾斜下支柱２０ａの長さを変更しなければならず、下支柱１ａに外挿の上支柱１が所定位置になるようにスライドすると共に、傾斜下支柱２０ａに外挿の上傾斜支柱２０をスライドして所定長さに合わせた後に、蝶ネジ１０と蝶ネジ２５で固定する。
このように、上支柱１と傾斜上支柱２０をスライドさせるスライド機構によって、容易に、表示板（枠）の高さを選定できる。
尚、前記上支柱１と傾斜上支柱２０はそれぞれ下支柱１ａと傾斜下支柱２０ａに対して外挿構造であるが、内挿構造であっても良い。
【００１２】
次に、図２は、前記図１に示す立て看板と同じ構成であるが、長さ調整機構をネジ機構（ターンバックル等）でおこなうものである。
上支柱１と下支柱１ａが対向する端部にはそれぞれネジが形成してあり、ネジ連結体３０で結合してある。従って、このネジ連結体３０を回転することによって、上支柱１と下支柱１ａの間の長さ調整ができる。尚、他方の上支柱１と下支柱１ａはスライド機構を採用している。
【００１３】
また、傾斜上支柱２０と傾斜下支柱２０ａの端部にはフック４０ａが取り付けてあり、それらのフック４０ａはターンバックル４０で連結してある。従って、このターンバックル４０を回動することによって、傾斜上支柱２０と傾斜下支柱２０ａの間の長さ調整ができる。
以上のように、支柱の長さと傾斜支柱の長さをネジ式で変更することによって、容易に、表示板の高さ変更ができる。
【００１４】
以上、図１、図２に示すように、立て看板の表示板（枠）の高さ位置変更は、上支柱１と下支柱１ａ、及び、傾斜上支柱２０と傾斜下支柱２０ａの長さ調整をするに当たって、長さ調整機構として、スライド式またはネジ式及びそれらの組み合わせを採用することによって、簡便に行うことができる。
【符号の説明】
【００１５】
１  上支柱
１ａ  下支柱
２０  傾斜上支柱
２０ａ  傾斜下支柱
２５  蝶ネジ
３０  ネジ連結体
４０  ターンバックル
【図１】
0003177902.tif 000003
【図２】
0003177902.tif 000004
【図３】
0003177902.tif 000005